(57)【要約】【課題】非使用時における大きさをマスク本体部の大きさとすることができる技術を提供する。【解決手段】マスク１０は、マスク本体部１００と、ヘッドバンド部２００を備えている。ヘッドバンド部２００は、１枚のシートを切断線２１１〜２１８に沿って切断することによって形成される右側部分２２１、左側部分２３１、ヘッド当接部分２４１、右側部分２２１とヘッド当接部分２４１の右側端部を接続する右側接続部分２２２〜２２５、左側部分２３１とヘッド当接部分２４１の左側端部を接続する左側接続部分２３２〜２３５を有している。ヘッドバンド部２００は、マスク本体部１００に重ねられた状態で、右側部分２２１が、マスク本体部１００の右側縁１０３に沿った右側接合線１３１によってマスク本体部１００の右側に接合され、左側部分２２２が、マスク本体部１００の左側縁１０４に沿った左側接合線１３２によってマスク本体部１００の左側に接合される。【選択図】図２
2014023563.tif 000002
【特許請求の範囲】
【請求項１】
マスク着用者の口を覆うマスク本体部と、マスク着用者の頭部に掛け回されるヘッドバンド部を備えるマスクであって、
前記マスク本体部は、マスク着用時に、マスク着用者から見て、左右方向に沿って右側に配置される右側縁、左側に配置される左側縁、上下方向に沿って上側に配置される上側縁、下側に配置される下側縁を有し、
前記ヘッドバンド部は、右側部分、左側部分、ヘッド当接部分、前記右側部分と前記ヘッド当接部分の右側端部を接続する右側接続部分、前記左側部分と前記ヘッド当接部分の左側端部を接続する左側接続部分を有しており、
前記ヘッドバンド部は、前記右側部分、前記左側部分、前記ヘッド当接部分、前記右側接続部分および前記左側接続部分が互いに重ならないように、前記マスク本体部に重ねて配置可能に構成されていることを特徴とするマスク。
【請求項２】
請求項１に記載のマスクであって、
前記ヘッド当接部分、前記右側接続部分および前記左側接続部分は、１枚のシートにより一体に形成されていることを特徴とするマスク。
【請求項３】
請求項１に記載のマスクであって、
前記右側部分、前記左側部分、前記ヘッド当接部分、前記右側接続部分および前記左側接続部分は、１枚のシートにより一体に形成されていることを特徴とするマスク。
ことを特徴とするマスク。
【請求項４】
請求項１〜３のうちのいずれか一項に記載のマスクであって、
前記ヘッドバンド部の前記右側部分が、前記マスク本体部の右側縁に沿った右側接合線に沿って前記マスク本体部の右側に接合され、前記ヘッドハンド部の前記左側部分が、前記マスク本体部の左側縁に沿った左側接合線に沿って前記マスク本体部の左側に接合されていることを特徴とするマスク。
【請求項５】
請求項１〜４のうちのいずれか一項に記載のマスクであって、
前記右側部分、前記左側部分、前記ヘッド当接部分、前記右側接続部分および前記左側接続部分が互いに重ならないように、前記ヘッドバンド部が前記マスク本体部に重ねて配置されている状態において、前記ヘッド当接部分が左右方向に沿って延びるように構成されていることを特徴とするマスク。
【請求項６】
請求項５に記載のマスクであって、
前記ヘッド当接部分が、前記マスク本体部の上下方向に沿った中央に、左右方向に沿って延びるように構成されていることを特徴とするマスク。
【請求項７】
請求項１〜６のうちのいずれか一項に記載のマスクであって、
前記右側部分、前記左側部分、前記ヘッド当接部分、前記右側接続部分および前記左側接続部分が互いに重ならないように、前記ヘッドバンド部が前記マスク本体部に重ねて配置されている状態において、
前記右側部分は、前記マスク本体部の右側縁に沿って延びており、
前記右側接続部分は、前記右側部分の、前記マスク本体部の上縁側の端部と前記ヘッド当接部の右側端部を接続する右上側接続部分と、前記右側部分の、前記マスク本体部の下縁側の端部と前記ヘッド当接部分の右側端部を接続する右下側接続部分を有し、
前記左側部分は、前記マスク本体部の左側縁に沿って延びており、
前記左側接続部分は、前記左側部分の、前記マスク本体部の上縁側の端部と前記ヘッド当接部の左側端部を接続する左上側接続部分と、前記右側部分の、前記マスク本体部の下縁側の端部と前記ヘッド当接部分の左側端部を接続する左下側接続部分を有していることを特徴とするマスク。
【請求項８】
請求項１〜７のうちのいずれか一項に記載のマスクであって、
前記マスク本体部は、矩形に形成されていることを特徴とするマスク。
【発明の詳細な説明】
【技術分野】
【０００１】
本発明は、マスク、特に、マスク着用者の頭部に掛け回されるマスクに関する。
【背景技術】
【０００２】
食品を扱う作業場所や医療を行う医療場所等では、耳を露出することができない服装が使用されるため、マスク着用者の耳に引っ掛けるタイプのマスクを使用することができない。そこで、特許文献１に示されているような、マスク着用者の頭部に掛け回すタイプのマスク（「頭部掛式マスク」と呼ばれている）が提案されている。
【０００３】
特許文献１に示されているマスクは、マスク本体部とヘッドバンド部を備えている。
マスク本体部は、前縁部と後縁部を有する、同じ形状の右側本体用シートおよび左側本体用シートにより構成されている。そして、右側本体用シートの前縁部と左側本体用シートの前縁部は、重ねられた状態で、前縁部同士が接合されている。
ヘッドバンド部は、前縁部と、後側に延びている延出部分を含むバンド（帯）を有し、同じ形状の右側バンド用シートおよび左側バンド用シートにより構成されている。そして、右側バンド用シートと左側バンド用シートは、重ねられた状態で、延出部分同士が接合されている。
さらに、右側本体用シートの後縁部と右側バンド用シートの前縁部が接合されているとともに、左側本体用シートの後縁部と左側バンドシートの前縁部が接合されている。
【先行技術文献】
【特許文献】
【０００４】
【特許文献１】特開平９−３１３６３１号公報
【発明の概要】
【発明が解決しようとする課題】
【０００５】
特許文献１に示されているマスクは、ヘッドバンド部を構成する右側バンド用シートと左側バンド用シートが同じ形状であり、また、マスク非着用時（特に、包装されている状態）においては、右側バンド用シートと左側バンド用シートが重ねられる。このため、２枚のシートを重ねた状態（別々のシートを重ねた状態あるいは１枚のシートを折り返して重ねた状態）で打ち抜くことによって、重ねられた状態の右側バンド用シートと左側バンド用シートを得る方法が用いられている。
しかしながら、２枚のシートを重ねた状態で打ち抜く方法を用いると、右側バンド用シートと左側バンド用シートが、切断箇所でくっつくことがある。右側バンド用シートと左側バンド用シートが、切断箇所でくっついていると、マスクを着用する前に、右側バンド用シートと左側バンド用シートを剥がす操作が必要となる。
本発明は、このような点に鑑みて創案されたものであり、マスク着用時の操作性を向上させたマスクを提供することを目的とする。
【課題を解決するための手段】
【０００６】
本発明は、以下のようなマスクとして構成される。なお、「左右方向」、「上下方向」は、マスク着用状態において、マスク着用者側から見た方向を表し、「右側」、「左側」、「上側」、「下側」は、マスク着用状態において、マスク着用者側から見た相対位置を表している。
【０００７】
本発明のマスクは、マスク着用者の口を覆うマスク本体部と、マスク着用者の頭部に掛け回されるヘッドバンド部を備えている。本発明のマスクは、マスク本体部とヘッドバンド部によって環状体が形成され、マスク本体部によってマスク着用者の口が覆われた状態で、ヘッドバンド部がマスク着用者の頭部に掛け回される「頭部掛式マスク」として構成されている。
マスク本体部は、左右方向に沿って右側に配置される右側縁、左側に配置される左側縁、上下方向に沿って上側に配置される上側縁、下側に配置される下側縁を有している。マスク本体部の右側縁、左側縁、上縁、下縁の形状は、適宜選択可能である。例えば、直線であってもよいし、曲線であってもよい。マスク本体部は、１枚のシートまたは積層された複数枚のシートにより構成される。マスク本体部を構成するシートとしては、例えば、機械的、化学的、熱的処理によって繊維を固着しあるいは絡み合わせて作られるシートが用いられる。典型的には、熱融着性合成繊維（熱可塑性合成繊維）を一部に含み、熱融着（熱溶着）が可能な不織布シートが用いられる。また、マスク本体部は、マスク着用時に立体状となる構成であってもよい。例えば、シートを左右方向に延びる複数の折り返し線に沿って折り返して形成した複数の片（プリーツ）により構成されるマスク本体部を用いることができる。
ヘッドバンド部は、右側部分、左側部分、ヘッド当接部分、右側接続部分および左側接続部分を有している。右側部分は、マスク着用時に右側に配置される部分であり、左側部分は、マスク着用時に左側に配置される部分である。ヘッド当接部分は、マスク着用者の後頭部に当接する部分である。右側接続部分は、右側部分とヘッド当接部分の右側端部を接続する部分であり、左側接続部分は、左側部分とヘッド当接部分の左側端部を接続する部分である。各部分の形状は、適宜設定可能である。
そして、ヘッドバンド部は、右側部分、左側部分、ヘッド当接部分、右側接続部分および左側接続部分が互いに重ならないように、マスク本体部に重ねて配置可能に構成されている。「ヘッドバンド部は、各部分が互いに重ならないようにマスク本体部に重ねて配置可能である」構成は、「互いに重ならないように各部分をマスク本体部に適切に配置可能である」態様を包含する。なお、各部分が重ならないようにヘッドバンド部がマスク本体部に配置された状態では、ヘッドバンド部がマスク本体部の枠内に配置されるように構成するのが好ましい。また、好適には、未使用状態（包装状態）において、各部分が重ならないようにヘッドバンド部がマスク本体部に重ねて配置される。
本発明では、ヘッドバンド部の各部分が互いに重ならないように、ヘッドバンド部がマスク本体部に重ねて配置可能である。このような配置状態では、ヘッド当接部分を摘んでマスク本体部と離すことにより（例えば、マスク本体部が下方に配置されるようにマスクが置かれている状態で、ヘッド当接部分を摘んで持ち上げることにより）、マスク本体部とヘッドバンド部により環状体が形成される。すなわち、従来のマスクのように、ヘッドバンド部を構成する各部分を剥がす操作が不要である。したがって、マスク着用時の操作性が向上する。
【０００８】
本発明の異なる形態では、右側接続部分、ヘッド当接部分および左側接続部分が、１枚のシートにより一体形成されている。右側接続部分、ヘッド当接部分および左側接続部分を形成するシートとしては、例えば、機械的、化学的、熱的処理によって繊維を固着しあるいは絡み合わせて作られるシートが用いられる。典型的には、熱融着性合成繊維（熱可塑性合成繊維）を一部に含み、熱融着（熱溶着）が可能な不織布シートが用いられる。また、好適には、伸縮性を有する不織布シートが用いられる。１枚のシートは、複数枚のシートが積層されて一体化されたシートであってもよい。「一体形成されている」という記載は、接合部が存在することなく各部分が接続されている構成を意味している。１枚のシートにより一体形成する方法としては、典型的には、１枚のシートを切断する方法が用いられる。
本形態では、ヘッド当接部分に接合部が存在しないため、マスク着用時に、マスク着用者の後頭部に接合部が当接することがない。これにより、マスク着用者は、接合部が後頭部に当接することによる痛みを感じることがない。
【０００９】
本発明の他の異なる形態では、右側部分、右側接続、ヘッド当接部分、左側当接部分および右側当接部分が、１枚のシートにより一体形成されている。右側部分、右側接続、ヘッド当接部分、左側当接部分および右側当接部分を形成するシートや一体形成する方法としては、前述したシートや方法を用いることができる。
本形態では、ヘッドバンド部を構成する各部分を接合する作業が不要である。
【００１０】
本発明の他の異なる形態では、ヘッドバンド部の右側部分が、マスク本体部の右側縁に沿った右側接合線に沿ってマスク本体部の右側に接合され、ヘッドバンド部の左側部分が、マスク本体部の左側縁に沿った左側接合線に沿ってマスク本体部の左側に接合されている。右側接合線および左側接合線は、マスク本体部の右側縁および左側縁に概略沿っていればよい。また、右側接合線および左側接合線は、直線であってもよいし曲線であってもよい。ヘッドバンド部の右側部分および左側部分をマスク本体に接合する方法としては、熱融着によって接合する方法や接着剤を用いて接合する方法等の公知の方法を用いることができる。また、右側接合線および左側接合線に沿って連続して接合してもよいし、不連続（例えば、断続的）に接合してもよい。
本形態は、マスク本体部とヘッドバンド部が異なるシートにより形成され、また、ヘッドバンド部の右側部分、右側接続部分、ヘッド当接部分、左側接続部分および左側部分が１枚のシートにより一体形成されている場合に好適である。
本形態では、異なる特性を有するマスク本体部とヘッドバンド部を有するマスクを、少ない接合作業を容易に製造することができる。
【００１１】
本発明の他の異なる形態では、ヘッドバンド部の各部分が互いに重ならないようにヘッドバンド部がマスク本体部に重ねて配置されている状態において、ヘッド当接部分が左右方向に沿って延びるように構成されている。
本形態では、マスク本体部が下方に配置されるようにマスクが置かれている状態で、ヘッド当接部分を容易に摘んで持ち上げることができる。
【００１２】
本発明の他の異なる形態では、ヘッドバンド部の各部分が互いに重ならないようにヘッドバンド部がマスク本体部に重ねて配置されている状態において、ヘッド当接部分が、マスク本体部の上下方向に沿った中央に、左右方向に沿って延びるように構成されている。
本形態では、マスク本体部が下方に配置されるようにマスクが置かれている状態で、ヘッド当接部分を容易に摘んで持ち上げることができる。さらに、マスク本体部とヘッドバンド部によって形成される環状体の長さを長くすることができる。
【００１３】
本発明の他の異なる形態では、ヘッドバンド部を構成する各部分が互いに重ならないようにヘッドバンド部がマスク本体部に重ねて配置されている状態において、右側部分は、マスク本体部の右側縁に沿って延びており、また、左側部分は、マスク本体部の左側縁に沿って延びている。好適には、右側部分および左側部分は、マスク本体部の上縁の近傍から下縁の近傍まで延びている。そして、右側接続部分は、右側部分の、マスク本体部の上縁側の端部とヘッド当接部分の右側端部を接続する右上側接続部分と、右側部分の、マスク本体部の下縁側の端部とヘッド当接部分の右側端部を接続する右下側接続部分を有している。また、左側接続部分は、左側部分の、マスク本体部の上縁側の端部とヘッド当接部分の左側端部を接続する左上側接続部分と、マスク本体部の下縁側の端部とヘッド当接部分の左側端部を接続する左下側接続部分を有している。
本形態では、右側接続部分および左側接続部分は、マスク本体側では２本のバンドで構成されるため、ヘッドバンド部をマスク本体部に強硬に固定することができる。
【００１４】
本発明の他の異なる形態では、マスク本体部は、矩形に形成されている。なお、マスク本体部は、厳密に矩形に形成されている必要はなく、概略矩形に形成されていればよい。
本形態では、マスク本体部が矩形に形成されているため、ヘッドバンド部を構成する各部分を、矩形に形成されているシートを切断することによって形成することができる。これにより、ヘッドバンド部を構成する各部分の形状を容易に設定・変更することができる。また、より容易にマスクを包装することができる。
【発明の効果】
【００１５】
本発明のマスクを用いることにより、マスク着用時の操作性を向上させることができる。
【図面の簡単な説明】
【００１６】
【図１】一実施の形態のマスクを、マスク着用者と反対側から見た図である。
【図２】一実施の形態のマスクを、マスク着用者側から見た図である。
【図３】図２を矢印ＩＩＩ方向から見た図である。
【図４】一実施の形態のマスクで用いられているマスク本体部のマスク非着用時の状態を示す図である。
【図５】一実施の形態のマスクで用いられているマスク本体部のマスク着用時の状態を示す図である。
【図６】一実施の形態のマスク着用時の状態を示す図である。
【図７】他の実施の形態のマスクで用いられているマスク本体部を示す図である。
【図８】他の実施の形態のマスクで用いられているマスク本体部を示す図である。
【発明を実施するための形態】
【００１７】
以下に、本発明の実施の形態を、図面を参照して説明する。
なお、以下では、「左右方向（ｘ方向）」、「上下方向（ｙ方向）」、「前後方向（ｚ方向）」。および「右側」、「左側」、「上側」、「下側」、「前側」、「後側」は、マスク着用時に、マスク着用者側から見た「方向」および「位置」を表している。
【００１８】
本発明のマスクの一実施の形態１０を、図１〜図５参照して説明する。本実施の形態のマスク１０は、１回〜数回の使用を想定した使い捨てマスクとして構成されている。また、本実施の形態のマスク１０は、花粉対策、風等のウィルス対策、口元や鼻腔内の保湿等の環境改善等の種々の用途に使用可能である。また、本実施の形態のマスク１０は、マスク着用者の頭部に掛け回される「頭部掛式マスク」として構成されている。
図１は、一実施の形態のマスク１０のマスク非着用時における、マスク本体部１００の非着用面１００Ｘ側（着用面１００Ｙと反対側の面側）から見た図である。図２は、マスク１０のマスク非着用時における、マスク本体部１００の着用面１００Ｙ側から見た図である。図３は、マスク１０を図２の矢印ＩＩＩ方向から見た図である。図４は、マスク１０のマスク本体部１００の非着用状態を示す図であり、図５は、マスク本体部１００の着用状態を示す図である。
【００１９】
本実施の形態のマスク１０は、マスク本体部１００、ヘッドバンド部２００、保形部３００により構成されている。マスク本体部１００は、マスク着用者の口や鼻を覆う部材である。ヘッドバンド部２００は、マスク着用者の頭部に掛け回される部材である。保形部３００は、マスク本体部２００の上端部の形状をマスク着用者の顔の凹凸形状に対応させることによって、マスク本体部１００とマスク着用者の顔との間の隙間を減少させる部材である。保形部３００としては、例えば、合成樹脂あるいは金属等によって形成された薄板が用いられる。保径部３００は、省略することもできる。マスク本体部１００が、本発明の「マスク本体部」に対応し、ヘッドバンド部２００が本発明の「ヘッドバンド部」に対応する。
【００２０】
マスク本体部１００は、左右方向（ｘ方向）に沿って延びている複数の片（あるいは、襞：プリーツ）を有し、プリーツタイプのマスク本体部として構成されている。本実施の形態では、図１に示されているように、上縁１０１、下縁１０２、右縁１０３および左縁１０４を有する矩形に形成されているシートが、上縁１０１および下縁１０２に平行な方向（左右方向）に沿って延びている複数の折り返し線１１１〜１１８に沿って順次折り返されている。これにより、水平方向に沿って延びている片（襞）１２１〜１２９が、右縁１０３および左縁１０４に平行な方向（上下方向：ｙ方向）に沿って配置される。
マスク本体部１００は、マスク非着用時には、図１および図４に示されているように、矩形を有している。一方、マスク着用時には、上下方向（ｙ方向）に沿った上端の片（襞）１２１の中央部を上方に引っ張ると共に、下端の片（襞）１２９の中央部を下方に引っ張る。これにより、マスク本体部１００は、図５に示されているように、片１２２〜１２８の中央部が上下方向に沿って拡開するとともに、上下方向に沿った中央の片１２５と両端の片１２１および１２９との間の前後方向（ｚ方向）に沿った間隔が大きくなる。すなわち、マスク本体部１００は、立体状となる。
【００２１】
マスク本体部１００は、内層シートと、内層シートの両側に積層されている第１の表層シートおよび第２の表層シートにより構成されるシートにより形成される。第１の表層シートは、マスク着用時にマスク着用者と反対側に配置されるマスク非着用面（マスク外表面）１００Ｘ）を形成し、第２の表層シートは、マスク着用時にマスク着用者側に配置される着用面（マスク内表面）１００Ｙを形成する。
内層シートは、メルトブロー法により製造されたメルトブロー不織布シートにより形成される。第１の表層シートおよび第２の表層シートは、スパンボンド法により製造されたスパンボンド不織布シート、ポリプロピレン繊維を含む不織布シート、スパンレース法により製造されたスパンレース不織布シート、エアスルー法により製造されたエアスルー不織布シート等により形成される。内層シート、第１の表層シートおよび第２の表層シートそれぞれの目付は、５〜５０ｇ／ｍ２の範囲内に設定され、マスク本体部１００全体の目付は、５０〜１３０ｇ／ｍ２の範囲内に設定される。
【００２２】
ヘッドバンド部２００は、マスク本体部１００の右側部と左側部との間に設けられ、マスク着用者の頭部に掛け回されるバンド（帯）を構成する。本実施の形態では、１枚のシートを、切断線に沿って切断することによって、ヘッドバンド部２００を構成する複数の部分に分割している。
ヘッドバンド部２００を形成するシートとしては、マスク本体部１００と同様に、熱可塑性合成繊維からなる不織布シートを用いることができるが、マスク本体部１００を形成する不織布シートより伸縮性が高い不織布シートを用いるのが好ましい。例えば、目付が３０〜１２０ｇ／ｍ２の、伸縮ＳＢ不織布シート（スパンボンド不織布シート）、伸縮ＳＭＳ不織布シート（スパンボンドとメルトブロー複合不織布シート）、（伸縮ＳＢ−フィルム−ＳＢ）不織布シート、伸縮性スパンレース不織布シート、伸縮ＨＭＡ不織布シート等が用いられる。
なお、ヘッドバンド部２００を形成するシートとしては、複数のシートが積層されて１枚のシートとして構成されているシートを用いることもできる。
【００２３】
本実施の形態のヘッドバンド部２００は、１枚のシートを切断線に沿って切断することによって分割された複数の部分によって構成される。なお、本明細書に記載されている「切断線に沿って切断する」態様には、「切り込み線に沿って切り込みを入れる」態様が包含される。また、切断線に沿って切断した（切り込み線に沿って切り込みを入れた）複数の部分が互いに重ならないように、ヘッドバンド部２００をマスク本体部の着用面１００Ｙに重ねた状態で、マスク本体部１００の右縁１０３に沿った接合線１３１および左縁１０４に沿った接合線１３２に沿って、ヘッドバンド部２００とマスク本体部１００を接合する。この時（複数の部分が互いに重ならないように、ヘッドバンド部２００をマスク本体部の着用面１００Ｙに重ねた状態で）、ヘッドバンド部２００がマスク本体部１００の着用面１００Ｙ内に収まるように、すなわち、ヘッドバンド部２００の面積がマスク本体部１００の面積（非装着面１００Ｘおよび庄着面１００Ｙの面積）を超えないように（等しい場合を含む）構成されている。なお、少なくともマスク収納状態において、ヘッドバンド部２００を構成する各部分が重ならないように、ヘッドバンド部２００がマスク本体部１００に重ねて配置される。
【００２４】
本実施の形態のヘッドバンド部２００の構成を、図２を参照して具体的に説明する。
１枚のシートは、切断線２０３、２０４、２２１〜２１８に沿って切断されることによって、右側部分２２１、左側部分２３１、ヘッド当接部分２４１、接続部分２２２〜２２５および接続部分２３２〜２３５に区分される。なお、切断線２０３および２０４に沿って切断された箇所は、ヘッドバンド部２００の右縁２０３および左縁２０４となる。このため、右縁２０３と左縁２０４との間の間隔に等しい幅を有するシートが用意される場合には、切断線２０３および２０４に沿った切断作業は不要である。以下では、右縁２０３および左縁２０４という。
【００２５】
切断線２１１は、マスク本体部１００の右縁１０３に沿って延びている切断線２１１ａと、切断線２１１ａの上端から上縁１０１に沿って左縁１０４方向に延びている切断線２１１ｂと、切断線２１１ａの下端から下縁１０２に沿って左縁１０４方向に延びている切断線２１１ｃを有している。
切断線２１２は、マスク本体部１００の左縁１０４に沿って延びている切断線２１２ａと、切断線２１２ａの上端から上縁１０１に沿って右縁１０３方向に延びている切断線２１２ｂと、切断線２１２ａの下端から下縁１０２に沿って右縁１０３方向に延びている切断線２１２ｃを有している。
【００２６】
切断線２１３は、切断線２１１ｂよりマスク本体部１００の上縁１０１側において、右縁１０３から上縁１０１に沿って左縁１０４方向に延びている切断線２１３ａと、切断線２１３ａの左端から右縁１０３に沿って下縁１０２方向に延びている切断線２１３ｂを有している。
切断線２１４は、切断線２１１ｃよりマスク本体部１００の下縁１０２側において、右縁１０３から下縁１０２に沿って左縁１０４方向に延びている切断線２１４ａと、切断線２１４ａの左端から右縁１０３に沿って上縁１０１方向に延びている切断線２１４ｂを有している。
切断線２１５は、切断線２１２ｂよりマスク本体部１００の上縁１０１側において、左縁１０４から上縁１０１に沿って右縁１０３方向に延びている切断線２１５ａと、切断線２１５ａの右端から左縁１０４に沿って下縁１０２方向に延びている切断線２１５ｂを有している。
切断線２１６は、切断線２１２ｃよりマスク本体部１００の下縁１０２側において、左縁１０４から下縁１０２に沿って右縁１０３方向に延びている切断線２１６ａと、切断線２１６ａの右端から左縁１０４に沿って上縁１０１方向に延びている切断線２１６ｂを有している。
【００２７】
切断線２１７は、切断線２１３ｂの下端および切断線２１５ｂの下端を通り、切断線２１１ａと２１２ａの間に上縁１０１に沿って延びている。
切断線２１８は、切断線２１４ｂの上端および切断線２１６ｂの上端を通り、切断線２１１ａと２１２ａの間に下縁１０２に沿って延びている。
【００２８】
右縁１０３と切断線２１１ａによって、マスク本体部１００の右縁１０３に沿って（上下方向に）延びている右側部分２２１が形成される。この右側部分２２１は、マスク本体部１００の右縁１０３に沿って（上下方向に）延びている接合線１３１に沿って、マスク本体部１００の右側部に接合されている。接合線１３１は、厳密に右縁１０３に沿っている必要はなく、また、直線や曲線等の種々の形状に設定することができる。また、右側部分２２１とマスク本体部１００を接合する方法としては、熱融着接合方法、ソニック接合方法、接着剤を用いた接合方法等を用いることができる。また、接合線１３１に沿って連続して接合してもよいし、接合線１３１に沿って不連続（例えば、断続的）に接合してもよい。
【００２９】
切断線２１１ｂ、２１３ａおよび２１３ｂによって、右側部分２２１の上端部から上縁１０１に沿って（左右方向に）左縁１０４の方向に延びている接続部分２２２が形成される。また、切断線２１１ｂ、２１３ｂ、２１７によって、左端部が接続部分２２２の左端部に接続されている状態で、左端部から上縁１０１に沿って（左右方向）右側部分２２１の方向に延びている接続部分２２４が形成される。
切断線２１１ｃ、２１４ａおよび２１４ｂによって、右側部分２２１の下端部から下縁１０１に沿って（左右方向に）左縁１０４の方向に延びている接続部分２２３が形成される。また、切断線２１１ｃ、２１４ｂ、２１８によって、左端部が接続部分２２３の左端部に接続されている状態で、左端部から下縁１０２に沿って（左右方向）右側部分２２１の方向に延びている接続部分２２５が形成される。
【００３０】
左縁１０４と切断線２１２ａによって、マスク本体部１００の左縁１０４に沿って（上下方向に）延びている左側部分２３１が形成される。この左側部分２３１は、マスク本体部１００の左縁１０４に沿って（上下方向に）延びている接合線１３２に沿って、マスク本体部１００の左側部に接合されている。接合線１３２は、厳密に左縁１０４に沿っている必要はなく、また、直線や曲線等の種々の形状に設定することができる。また、左側部分２３１とマスク本体部１００を接合する方法としては、熱融着接合方法、ソニック接合方法、接着剤を用いた接合方法等を用いることができる。また、接合線１３２に沿って連続して接合してもよいし、接合線１３２に沿って不連続（例えば、断続的）に接合してもよい。
【００３１】
切断線２１２ｂ、２１５ａおよび２１５ｂによって、左側部分２３１の上端部から上縁１０１に沿って（左右方向に）右縁１０３の方向に延びている接続部分２３２が形成される。また、切断線２１２ｂ、２１５ｂ、２１７によって、右端部が接続部分２３２の右端部に接続されている状態で、右端部から上縁１０１に沿って（左右方向）左側部分２３１の方向に延びている接続部分２３４が形成される。
切断線２１２ｃ、２１６ａおよび２１６ｂによって、左側部分２３１の下端部から下縁１０１に沿って（左右方向に）右縁１０３の方向に延びている接続部分２３３が形成される。また、切断線２１２ｃ、２１６ｂ、２１８によって、右端部が接続部分２３３の右端部に接続されている状態で、右端部から下縁１０２に沿って（左右方向）左側部分２３１の方向に延びている接続部分２３５が形成される。
【００３２】
切断線２１１ａ、２１２ａ、２１７、２１８によって、右端部が接続部分２２４の右端部および接続部分２２５の右端部に接続され、左端部が接続部分２３４の左端部および接続部分２３５の左端部に接続されている状態で、上縁１０１に沿って（左右方向に）延びているヘッド当接部分２４１が形成される。
【００３３】
接続部分２２２〜２２５によって、右側部分２２１をヘッド当接部分２４１の右端部に接続する「右側接続部分」が構成される。
また、接続部分２２２と２２４によって、右側部分２２１の上端部をヘッド当接部分２４１の右端部に接続する「右上側接続部分」が構成され、接続部分２２３と２２５によって、右側部分２２１の下端部をヘッド当接部分２４１の右端部に接続する「右下側接続部分」が構成される。
【００３４】
接続部分２３２〜２３５によって、左側部分２３１をヘッド当接部分２４１の左端部に接続する「左側接続部分」が構成される。
また、接続部分２３２と２３４によって、左側部分２３１の上端部をヘッド当接部分２４１の左端部に接続する「左上側接続部分」が構成され、接続部分２３３と２３５によって、左側部分２３１の下端部をヘッド当接部分２４１の左端部に接続する「左下側接続部分」が構成される。
【００３５】
マスク１０が収容されている状態（マスク収容時）では、図２に示されているように、ヘッドバンド部２００を構成する右側部分２２１、右側接続部分２２２〜２２５、ヘッド当接部分２４１、右側接続部分２３２〜２３５および左側部分２３１が互いに重ならないように、ヘッドバンド部２００がマスク本体部１００の着用面１００Ｙに重ねて配置されている。
【００３６】
マスク１０を着用する際には、図２に示されているマスク１０を、マスク本体部１００が下方に配置されるように置いた状態で、図６に示されているように、ヘッド当接部分２４１を摘んで引っ張る（マスク本体部１００から離す）。
なお、本実施の形態では、ヘッドバンド部２００を構成する各部分が、１枚のシートを切断することによって一体に形成されている。また、マスク収容時には、ヘッドハンド部２００を構成する各部分が重ならないようにヘッドハンド部２００がマスク本体部１００に重ねて配置されている。このため、従来のマスクのように、マスク着用時に、ヘッドバンド部を構成する部分を剥がす操作が不要である。
【００３７】
ヘッド当接部分２４１がマスク本体部１００の着用面１００Ｙから離れると、右端部がヘッド当接部分２４１の右端部に接続されている接続部分２２４および２２５、さらに、左端部が接続部分２２４の左端部に接続されている接続部分２２２および左端部が接続部分２２５の左端部に接続されている接続部分２２３が、接合線１３１を支点に、マスク本体部１００の着用面１００Ｙから離れる方向に回動する。同時に、左端部がヘッド当接部２４１の左端部に接続されている接続部分２３４および２３５、さらに、右端部が接続部分２３４の右端部に接続されている接続部分２３２および右端部が接続部分２３５の右端部に接続されている接続部分２３３が、接合線１３２を支点に、マスク本体部１００の着用面１００Ｙから離れる方向に回動する。すなわち、右側部分２２１、接続部分２２２〜２２５、ヘッド当接部分２４１、接続部分２３２〜２３５および左側部分２３１が、バンド（帯）状に展開される。これにより、マスク本体部１００とヘッドバンド部２００によって環状体が形成され、マスク着用者の頭部に掛け回すことができる。
【００３８】
本実施の形態では、ヘッドハンド部２００を構成する各部分が重ならないようにヘッドバンド部２００がマスク本体部１００の着用面１００Ｙに重ねられている状態（特に、収納状態）において、ヘッド当接部分２４１が、マスク本体部１００（着用面１００Ｙ）の左右方向の中央および上下方向の中央に配置されている。このため、ヘッド当接部分２４１を容易に摘むことができる。また、ヘッド当接部分２４１をマスク本体部１００（着用面１００Ｙ）と反対方向に引っ張った時に、接続部２２２〜２２５および２３２〜２３５がバランスよく展開する。したがって、マスク１０を容易に着用することができる。
また、ヘッドバンド部２００部が２箇所（接合部２２２と２２３、また、接合部２３２と２３３）で支持されているとともに、１つのヘッド当接部分２４１がマスク着用者の後頭部に当接するため、支持強度を確保しながら、マスクを容易に着脱することができる。
【００３９】
本実施の形態では、１枚のシートを切断線に沿って切断する（切れ込み線に沿って切れ込みを入れる）ことによってヘッドバンド部２００を構成する右側部分２２１、左側部分２３１、ヘッド当接部分２４１、接続部分２２２〜２２５および２３２〜２３５を一体に形成し、右側部分２２１と左側部分２３１をマスク本体部１００の右側および左側に接合している。これにより、ヘッドバンド部２００をマスク本体部１００に組み付けるための接合箇所を従来技術に比べて少なくすることができる。これにより、生産効率を高めることができる。
また、ヘッド当接部分２４１に接合部が存在しないため、マスク着用時に、マスク着用者の後頭部に接合部が当接することがない。これにより、マスク着用者は、接合部による痛みを感じることが無い。
【００４０】
また、ヘッド当接部分２４１の右端部に接続部分（右側接続部分）２２２〜２２５を介して右側部分２２１が接続され、ヘッド当接部分２４１の左端部に接続部分（左側接続部分）２３２〜２３５分を介して左側部分２３１が接続されるように設定された切断線（切れ込み線）に沿って１枚のシートを切断している（切れ込みを入れている）。これにより、ヘッドハンド部２００を構成する各部分が重ならないようにヘッドバンド部２００がマスク本体部１００（着用面１００Ｙ）に重ねられている状態において、ヘッド当接部分２４１を摘んで引っ張るだけのワンアクションで、マスク本体部１００とヘッドバンド部２００によって環状体を形成することができる。さらに、ヘッド当接部分２４１が、マスク本体部１００の左右方向および上下方向の中央に配置されているため、より容易に環状体を形成することができる。
また、ヘッドハンド部２００を構成する各部分が重ならないようにヘッドバンド部２００がマスク本体部１００（着用面１００Ｙ）に重ねられている状態において、ヘッドバンド部２００の大きさ（面積）が、ヘッドバンド部２００がマスク本体部１００（着用面１００Ｙ）からはみ出ない大きさに設定されている。これにより、マスク非着用時におけるマスク１０の大きさがマスク本体部１００の大きさとない、マスクの包装が容易となる。
また、マスク本体部１００が矩形に形成されているため、ヘッドバンド部２００の各部分を形成するための切断線（切れ込み線）を容易に設定することができる。
また、切断線（切れ込み線）を設定することによって、ヘッドバンド部２００を構成する各部分の幅や、展開時の長さを容易、適切に設定することができる。
【００４１】
以上の実施の形態では、マスク本体部１００の片（襞）の折り方として、図４に示されているように、上下方向の中央の片１２５が前後方向（ｚ方向）に沿って前側に配置され、中央の片より上下方向両側の片１２１〜１２３、１２６〜１２９が順次後側に配置される折り方を用いたが、片の折り方はこれに限定されない。
例えば、図７に示されているマスク本体部４００を用いることができる。図７に示されているマスク本体部４００は、折り返し線４１１〜４１４によって折り返された複数の片４２１〜４２５を有している。マスク本体部４００では、片の折り方として、上下方向（ｙ方向）に沿って下方の片４２５が前後方向（ｚ方向）に沿って前側に配置され、片４２５より上側の片４２１〜４２４が順次後側に配置される折り方が用いられている。
あるいは、図８に示されているマスク本体部５００を用いることができる。図８に示されているマスク本体部５００は、折り返し線５１１〜５１４によって折り返された複数の片５２１〜５２５を有している。マスク本体部５００では、片の折り方として、上下方向（ｙ方向）に沿って上方の片５２１が前後方向（ｚ方向）に沿って前側に配置され、片５２１より下側の片５２２〜５２５が順次後側に配置される折り方が用いられている。
【００４２】
本発明は、実施の形態で説明した構成に限定されず、本発明の要旨を変更しない範囲内で種々の変更、追加、削除が可能である。
マスク本体部を矩形に形成したが、マスク本体部は、矩形以外の種々の形状に形成することができる。マスク本体部の形状に対応して、ヘッドバンド部の形状も変更される。
マスク本体部として、着用時に立体状となるプリーツタイプのマスク本体部を用いたが、プリーツタイプ以外のマスク本体部を用いることができる。また平面状のマスク本体部を用いることもできる。
ヘッドバンド部を構成する各部分を形成するための切断線（切れ込み線）の形状は、ヘッドバンド部を構成する各部分の幅や、展開時の長さ等に応じて適宜設定可能である。
ヘッドバンド部を構成する右側部分、右側接続部分、ヘッド当接部分、左側接続部分および左側部分を一体に形成したが、少なくとも右側接続部分、ヘッド当接部分および左側接続部分が一体に形成されていればよい。
ヘッドバンド部は、少なくとも右側部分、左側部分、ヘッド当接部分、右側部分とヘッド当接部分の右側端部を接続する右側接続部分、左側部分とヘッド当接部分の左側端部を接続する左側接続部分を有していればよい。また、ヘッド当接部分の形状、ヘッドバンド部がマスク本体部（着用面）に重ねられている状態（非着用状態）におけるヘッド当接部分の配設位置は適宜変更可能である。
ヘッドバンド部の右側部分および左側部分をマスク本体部に接合する方法や接合する位置等は適宜変更可能である。
【符号の説明】
【００４３】
１０  マスク
１００  マスク本体部
１００Ｘ  非着用面
１００Ｙ  着用面
１０１  上縁
１０２  下縁
１０３  右縁
１０４  左縁
１１１、１１２、１１３、１１４、１１５、１１６、１１６、１１７、４１１、４１２、４１３、４１４、５１１、５１２、５１３、５１４  折り返し線
１２１、１２２、１２３、１２４、１２５、１２６、１２７、１２８、４２１、４２２、４２３、４２４、４２５、５２１、５２２、５２３、５２４、５２５  片（プリーツ）
２００  ヘッドバンド部
２０３  右縁
２０４  左縁
２１１、２１２、２１３、２１４、２１５、２１６、２１７、２１８  切断線（切れ込み線）
２２１  右側部分
２２２、２２４  接続部分（右上接続部分）
２２３、２２５  接続部分（右下接続部分）
２３１  左側部分
２３２、２３４  接続部分（左上接続部分）
２３３、２３５  接続部分（左下接続部分）
２４１  ヘッド当接部分
３００  保形部
【図１】
2014023563.tif 000003
【図２】
2014023563.tif 000004
【図３】
2014023563.tif 000005
【図４】
2014023563.tif 000006
【図５】
2014023563.tif 000007
【図６】
2014023563.tif 000008
【図７】
2014023563.tif 000009
【図８】
2014023563.tif 000010